【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
画像を投影面に投影する投影光学系を有する表示装置であって、
入力画像が前記投影面に投影された場合の投影画像における歪みを補正するために、前記入力画像を幾何学的に変形させる変形手段と、
前記変形手段による画像変形処理のパラメータを設定する設定手段と
を有し、
前記設定手段は、変形前の前記入力画像が前記投影面に投影された場合の第１の投影画像の対角線の交点の位置と、変形後の前記入力画像が前記投影面に投影された場合の第２の投影画像の対角線の交点の位置と、が同じになるように、前記パラメータを設定することを特徴とする表示装置。
【請求項２】
前記設定手段は、前記第２の投影画像が、前記第１の投影画像の領域内に位置するように、前記パラメータを設定することを特徴とする請求項１に記載の表示装置。
【請求項３】
前記設定手段は、前記第２の投影画像が、前記第１の投影画像の領域内で、最も大きな画像となるように、前記パラメータを設定することを特徴とする請求項１または請求項２に記載の表示装置。
【請求項４】
前記投影光学系と前記投影面との間の位置関係に関する情報を取得する取得手段をさらに備え、
前記設定手段は、前記取得手段によって取得された前記情報に基づいて前記パラメータを設定することを特徴とする請求項１乃至請求項３のいずれか１項に記載の表示装置。
【請求項５】
前記情報は、前記表示装置の傾斜角、前記投影光学系に含まれるズームレンズのズーム値、または、前記投影光学系に含まれるシフトレンズのレンズシフト量を含むことを特徴とする請求項４に記載の表示装置。
【請求項６】
前記取得手段により取得された情報に基づいて、前記投影光学系の光軸方向に直交する仮想面上の座標系である第１座標系と、前記投影面上の座標系である第２座標系との間で座標変換を行う座標変換手段をさらに有し、
前記設定手段は、
前記座標変換手段を用いて、前記第１の投影画像の頂点の第２座標系の座標を求め、
前記第１の投影画像の頂点の第２座標系の座標から、前記第１の投影画像の対角線の交点の第２座標系の座標を求め、
当該交点の位置を対角線の交点の位置とする、予め設定されたアスペクト比の矩形の４つの頂点の第２座標系の座標を求め、
前記４つの頂点の第２座標系の座標と前記座標変換手段を用いて、変形後の画像の頂点の第１座標系の座標を求めることで、前記パラメータを設定することを特徴とする請求項４または請求項５に記載の表示装置。
【請求項７】
前記取得手段により取得された情報に基づいて、前記投影光学系の光軸方向に直交する仮想面上の座標系である第１座標系と、前記投影面上の座標系である第２座標系との間で座標変換を行う座標変換手段をさらに有し、
前記設定手段は、
前記第１の投影画像の頂点の第２座標系の座標を求め、
前記第１の投影画像の頂点の第２座標系の座標から、前記第１の投影画像の対角線の交点の第２座標系の座標を求め、
前記第２の投影画像のアスペクト比の設定値が（ａ：ｂ）の場合は、傾きが（ｂ／ａ）、（−ｂ／ａ）で、それぞれ当該交点を通る２本の直線と、前記第１の投影画像の外形線と、が交わる４つの点の第２座標系の座標を求め、
前記４つの点の各点と当該交点との間の距離のうち最も短い距離、当該交点からそれぞれ離れた前記２本の直線上の４つの点の第２座標系の座標を求め、
前記２本の直線上の４つの点の第２座標系の座標と前記座標変換手段を用いて、変形後の画像の頂点の第１座標系の座標を求めることで、
前記パラメータを設定することを特徴とする請求項４または請求項５に記載の表示装置。
【請求項８】
前記入力画像のアスペクト比と前記投影面のアスペクト比が異なる場合は、前記入力画像のうち、前記投影面のアスペクト比と同じアスペクト比となる領域が前記投影光学系により投影されることを特徴とする請求項１乃至請求項７のいずれか１項に記載の表示装置。
【請求項９】
画像を画面に表示する表示手段と、
前記画面に表示された前記画像の形状を変形させる変形手段と、
を有し、
前記変形手段は、変形前の前記画像の対角線の交点の位置と、変形後の前記画像の対角線の交点の位置と、が同じになるように前記画像を変形させることを特徴とする表示装置。
【請求項１０】
前記表示手段は、入力画像に基づいて前記画像を投影面に投影する投影手段であり、
前記変形手段は、前記入力画像を変形することによって、前記画像を変形させることを特徴とする請求項９に記載の表示装置。
【請求項１１】
画像を投影面に投影する投影光学系を有する表示装置の制御方法であって、
入力画像が前記投影面に投影された場合の投影画像における歪みを補正するために、前記入力画像を幾何学的に変形させる変形ステップと、
前記変形ステップにおける画像変形処理のパラメータを設定する設定ステップと
を含み、
前記設定ステップでは、変形前の前記入力画像が前記投影面に投影された場合の第１の投影画像の対角線の交点の位置と、変形後の前記入力画像が前記投影面に投影された場合の第２の投影画像の対角線の交点の位置と、が同じになるように、前記パラメータを設定
することを特徴とする制御方法。
【請求項１２】
表示装置の制御方法であって、
画像を画面に表示する表示ステップと、
前記画面に表示された前記画像の形状を変形させる変形ステップと、
を含み、
前記変形ステップでは、変形前の前記画像の対角線の交点の位置と、変形後の前記画像の対角線の交点の位置と、が同じになるように前記画像を変形させることを特徴とする制御方法。
【請求項１３】
コンピュータを、請求項１乃至請求項１０のいずれか１項に記載された表示装置の各手段として機能させるためのプログラム。
【請求項１４】
コンピュータを、請求項１乃至請求項１０のいずれか１項に記載された表示装置の各手段として機能させるためのプログラムを格納したコンピュータが読み取り可能な記憶媒体。
【手続補正２】
【補正対象書類名】明細書
【補正対象項目名】０００７
【補正方法】変更
【補正の内容】
【０００７】
本発明に係る表示装置は、
画像を投影面に投影する投影光学系を有する表示装置であって、
入力画像が前記投影面に投影された場合の投影画像における歪みを補正するために、前記入力画像を幾何学的に変形させる変形手段と、
前記変形手段による画像変形処理のパラメータを設定する設定手段と
を有し、
前記設定手段は、変形前の前記入力画像が前記投影面に投影された場合の第１の投影画像の対角線の交点の位置と、変形後の前記入力画像が前記投影面に投影された場合の第２の投影画像の対角線の交点の位置と、が同じになるように、前記パラメータを設定することを特徴とする。
また、画像を画面に表示する表示手段と、
前記画面に表示された前記画像の形状を変形させる変形手段と、
を有し、
前記変形手段は、変形前の前記画像の対角線の交点の位置と、変形後の前記画像の対角線の交点の位置と、が同じになるように前記画像を変形させることを特徴とする。
【手続補正３】
【補正対象書類名】明細書
【補正対象項目名】０００８
【補正方法】変更
【補正の内容】
【０００８】
本発明に係る制御方法は、
画像を投影面に投影する投影光学系を有する表示装置の制御方法であって、
入力画像が前記投影面に投影された場合の投影画像における歪みを補正するために、前記入力画像を幾何学的に変形させる変形ステップと、
前記変形ステップにおける画像変形処理のパラメータを設定する設定ステップと
を含み、
前記設定ステップでは、変形前の前記入力画像が前記投影面に投影された場合の第１の投影画像の対角線の交点の位置と、変形後の前記入力画像が前記投影面に投影された場合の第２の投影画像の対角線の交点の位置と、が同じになるように、前記パラメータを設定することを特徴とする。
また、表示装置の制御方法であって、
画像を画面に表示する表示ステップと、
前記画面に表示された前記画像の形状を変形させる変形ステップと、
を含み、
前記変形ステップでは、変形前の前記画像の対角線の交点の位置と、変形後の前記画像の対角線の交点の位置と、が同じになるように前記画像を変形させることを特徴とする。